(57)【要約】【課題】親機と子機の構成で動作するコードレス電話システムにおいて、公衆回線からの着信時、近くに置かれている親機子機共が鳴動してしまうことによる煩わしさの回避を図るコードレス電話装置及び着信音制御方法を提供する。【解決手段】コードレス電話子機が親機からの着信通知を受信した際に、子機が親機の鳴動音を一定レベル以上の音量で検出できる場合は、その子機が親機の近傍に位置していると判断し、子機の鳴動を停止する。【選択図】図５
2010074590.tif 000002
【特許請求の範囲】
【請求項１】
公衆網回線を収容する機能と、無線通信機能を備えた親機装置と、同じく無線通信機能と通話のための音声入出力機能を備えた子機とで構成されるコードレス電話システムにおいて、前記親機が発する着信音の音量を測定する測定部と、その音量に応じて自らの着信音の有無を制御する制御部で構成されることを特徴とするコードレス電話子機装置。
【請求項２】
測定部で測定した親機の着信音量の変化を監視し、その変化に応じて自らの着信音の音量を動的に変化させる制御部を持ったことを特徴とするコードレス請求項１記載のコードレス電話子機装置。
【請求項３】
公衆網回線を収容する機能と、無線通信機能を備えた親機装置と、同じく無線通信機能と通話のための音声入出力機能を備えた子機とで構成されるコードレス電話システムにおいて、前記子機が発する着信音の音量を測定する測定部と、その音量に応じて該当子機の着信音の有無を制御する命令を発する制御部で構成されることを特徴とするコードレスコードレス電話親機装置。
【請求項４】
測定部で測定した子機の着信音量の変化を監視し、その変化に応じて該当子機の着信音の音量を動的に変化させる命令を発する制御部を持ったことを特徴とするコードレス請求項３記載のコードレス電話親機装置。
【請求項５】
公衆網回線を収容する機能と、無線通信機能を備えた親機装置と、同じく無線通信機能と通話のための音声入出力機能を備えた複数子機とで構成されるコードレス電話システムにおいて、一台の子機が発する着信音の音量を測定する測定部と、その音量に応じて自らの着信音の有無を制御する制御部で構成されることを特徴とするコードレスコードレス電話子機装置。
【請求項６】
測定部で測定した別の子機の着信音量の変化を監視し、その変化に応じて自らの着信音の音量を動的に変化させる制御部を持ったことを特徴とするコードレス請求項５記載のコードレス電話子機装置。
【請求項７】
公衆網回線を収容する機能と、無線通信機能を備えた親機装置と、同じく無線通信機能と通話のための音声入出力機能を備えた子機とで構成されるコードレス電話システムにおいて、前記親機が発する着信音の音量を測定し、その音量に応じて自らの着信音の有無を制御することを特徴とするコードレス着信音制御方法。
【請求項８】
測定部で測定した親機の着信音量の変化を監視し、その変化に応じて自らの着信音の音量を動的に変化させることを特徴とするコードレス請求項７記載の着信音制御方法。
【請求項９】
公衆網回線を収容する機能と、無線通信機能を備えた親機装置と、同じく無線通信機能と通話のための音声入出力機能を備えた子機とで構成されるコードレス電話システムにおいて、前記子機が発する着信音の音量を測定し、その音量に応じて該当子機の着信音の有無を制御する命令を発することによって着信音制御することを特徴とするコードレス着信音制御方法。
【請求項１０】
測定部で測定した子機の着信音量の変化を監視し、その変化に応じて該当子機の着信音の音量を動的に変化させる命令を発することによって着信音制御することを特徴とするコードレス請求項９記載の着信音制御方法。
【請求項１１】
公衆網回線を収容する機能と、無線通信機能を備えた親機装置と、同じく無線通信機能と通話のための音声入出力機能を備えた子機とで構成されるコードレス電話システムにおいて、一台の子機が発する着信音の音量を測定し、その音量に応じて自らの着信音の有無を制御することを特徴とするコードレス着信音制御方法。
【請求項１２】
測定部で測定した別の子機の着信音量の変化を監視し、その変化に応じて自らの着信音の音量を動的に変化させる制御部を持ったことを特徴とするコードレス請求項１１記載の着信音制御方法。
【発明の詳細な説明】
【技術分野】
【０００１】
本発明は親機と子機とからなるコードレス電話システムにおいて着信音を制御するコードレス電話機装置及び着信音制御方法に関するものである。
【背景技術】
【０００２】
一般家庭をはじめとして、複数台の子機を収容するコードレス電話システムの普及は特別なものではなくなっている。通常のコードレス電話システムの場合、収容する公衆回線に着信があった場合、親機配下に収容されている全コードレス子機が一斉に鳴動し、通話開始待機状態になることになる。コードレス子機はその携帯性、可搬性という性質から鳴動する際にどこの位置にあってもよく、仮に親機の近くに位置していたり、別の子機の近くに位置していたりする場合がありうる。この場合、鳴動動作を行う機器が隣接するために、ユーザがうるさく感じたりするなどの不都合が生じる場合がある。この不都合が生じる場合の回避目的のために、赤外線センサ技術を用いて親機と子機の位置関係を測定し、親機と子機が隣接している場合は親機から子機に対して鳴動させない旨の命令を送信し、子機の鳴動を抑制する、という技術がある（特許文献１参照）。
【特許文献１】特開２００６−８０６０５号公報
【発明の開示】
【発明が解決しようとする課題】
【０００３】
一般家庭に普及しているコードレス電話システムでは、子機のパーソナル化に伴い、それほど広い住宅条件ではなくとも子機が２台以上複数設置されている場合も珍しくなく、外部からの着信が発生した場合のそれぞれの機器の音量設定次第では騒音問題となるべき場合も考えられる。
【０００４】
また、従来の技術で記載した赤外線センサ技術を用いた子機の位置状態取得方法はその測定範囲が狭く限定されることに加え、親機の鳴動音量設定の如何に関わらず近傍の子機は鳴動を抑制させられるために、親機の音量が小さく設定させられている場合にはユーザが着信に気がつかないケースも発生してしまう、という課題があった。
【０００５】
本発明は、このような従来の課題を解決するものであり、ユーザが必ず着信に気が付く範囲で近傍の子機の鳴動を抑制させるコードレス電話装置及び着信音制御方法を提供することを目的とする。
【課題を解決するための手段】
【０００６】
本発明は上記目的を達成するために、公衆網回線を収容する機能と、無線通信機能を備えた親機装置と、同じく無線通信機能と通話のための音声入出力機能を備えた子機とで構成されるコードレス電話システムにおいて、前記親機が発する着信音の音量を測定する測定部と、その音量に応じて自らの着信音の有無を制御する制御部で構成されるものである。
【発明の効果】
【０００７】
この本発明によれば、ユーザが親機の鳴動動作により着信に気付く範囲に設置してある子機の鳴動動作が抑制され、親機の鳴動動作の影響が及ばない範囲に設置してある子機のみ鳴動動作を行い、ユーザが煩わしいと感じる、鳴動動作の重複が回避できるという効果を奏する。
【発明を実施するための最良の形態】
【０００８】
本発明の第１の発明は、公衆網回線を収容する機能と、無線通信機能を備えた親機装置と、同じく無線通信機能と通話のための音声入出力機能を備えた子機とで構成されるコードレス電話システムにおいて、親機が発する着信音の音量を測定する測定部と、その音量に応じて自らの着信音の有無を制御する制御部で構成されるコードレス電話子機装置としたものであり、親機の鳴動と近傍の子機の鳴動が重複しない、という作用を有する。
【０００９】
本発明の第２の発明は、第１の発明において、測定部で測定した親機の着信音量の変化を監視し、その変化に応じて自らの着信音の音量を動的に変化させる制御部を持ったものであり、親機の近傍にあったために鳴動していない子機をユーザが遠方へ移動させた場合や、遠方にあったために鳴動している子機を親機の近傍へ移動させた場合にその子機の鳴動動作が動的に変化する、という作用を有する。
【００１０】
本発明の第３の発明は、公衆網回線を収容する機能と、無線通信機能を備えた親機装置と、同じく無線通信機能と通話のための音声入出力機能を備えた子機とで構成されるコードレス電話システムにおいて、子機が発する着信音の音量を測定する測定部と、その音量に応じて該当子機の着信音の有無を制御する命令を発する制御部で構成されるコードレス電話親機装置としたものであり、親機の鳴動と近傍の子機の鳴動が重複しない、という作用を有する。
【００１１】
本発明の第４の発明は、第３の発明において、測定部で測定した子機の着信音量の変化を監視し、その変化に応じて該当子機の着信音の音量を動的に変化させる命令を発する制御部を持ったものであり、親機の近傍にあったために鳴動していない子機をユーザが遠方へ移動させた場合や、遠方にあったために鳴動している子機を親機の近傍へ移動させた場合にその子機の鳴動動作が動的に変化する、という作用を有する。
【００１２】
本発明の第５の発明は、公衆網回線を収容する機能と、無線通信機能を備えた親機装置と、同じく無線通信機能と通話のための音声入出力機能を備えた複数子機とで構成されるコードレス電話システムにおいて、一台の子機が発する着信音の音量を測定する測定部と、その音量に応じて自らの着信音の有無を制御する制御部で構成されるコードレス電話子機装置としたものであり、複数子機同士が隣接して設置されている場合に子機の鳴動が重複しない、という作用を有する。
【００１３】
本発明の第６の発明は、第５の発明において、測定部で測定した別の子機の着信音量の変化を監視し、その変化に応じて自らの着信音の音量を動的に変化させる制御部を持ったものであり、別の子機の近傍にあったために鳴動していない子機をユーザが遠方へ移動させた場合や、遠方にあったために鳴動している子機を別の子機の近傍へ移動させた場合にその子機の鳴動動作が動的に変化する、という作用を有する。
【００１４】
本発明の第７の発明は、公衆網回線を収容する機能と、無線通信機能を備えた親機装置と、同じく無線通信機能と通話のための音声入出力機能を備えた子機とで構成されるコードレス電話システムにおいて、親機が発する着信音の音量を測定し、その音量に応じて自らの着信音の有無を制御する着信音制御方法としたものであり、親機の鳴動と近傍の子機の鳴動が重複しない、という作用を有する。
【００１５】
本発明の第８の発明は、第７の発明において、測定部で測定した親機の着信音量の変化を監視し、その変化に応じて自らの着信音の音量を動的に変化させるものであり、親機の近傍にあったために鳴動していない子機をユーザが遠方へ移動させた場合や、遠方にあったために鳴動している子機を親機の近傍へ移動させた場合にその子機の鳴動動作が動的に変化する、という作用を有する。
【００１６】
本発明の第９の発明は、公衆網回線を収容する機能と、無線通信機能を備えた親機装置と、同じく無線通信機能と通話のための音声入出力機能を備えた子機とで構成されるコードレス電話システムにおいて、子機が発する着信音の音量を測定し、その音量に応じて該当子機の着信音の有無を制御する命令を発することによって着信音制御する着信音制御方法としたものであり、親機の鳴動と近傍の子機の鳴動が重複しない、という作用を有する。
【００１７】
本発明の第１０の発明は、第９の発明において、測定部で測定した子機の着信音量の変化を監視し、その変化に応じて該当子機の着信音の音量を動的に変化させる命令を発することによって着信音制御するものであり、親機の近傍にあったために鳴動していない子機をユーザが遠方へ移動させた場合や、遠方にあったために鳴動している子機を親機の近傍へ移動させた場合にその子機の鳴動動作が動的に変化する、という作用を有する。
【００１８】
本発明の第１１の発明は、公衆網回線を収容する機能と、無線通信機能を備えた親機装置と、同じく無線通信機能と通話のための音声入出力機能を備えた子機とで構成されるコードレス電話システムにおいて、一台の子機が発する着信音の音量を測定し、その音量に応じて自らの着信音の有無を制御する着信音制御方法としたものであり、複数子機同士が隣接して設置されている場合に子機の鳴動が重複しない、という作用を有する。
【００１９】
本発明の第１２の発明は、第１１の発明において、測定部で測定した別の子機の着信音量の変化を監視し、その変化に応じて自らの着信音の音量を動的に変化させる制御部を持ったものであり、別の子機の近傍にあったために鳴動していない子機をユーザが遠方へ移動させた場合や、遠方にあったために鳴動している子機を別の子機の近傍へ移動させた場合にその子機の鳴動動作が動的に変化する、という作用を有する。
【００２０】
以下、本発明の実施の形態について、図面を用いて説明する。
【００２１】
（実施の形態１）
まずは各部の概略構成について述べる。
【００２２】
図１はコードレス電話システムの全体構成図であり、コードレス電話システムは公衆回線１０４を収容するコードレス電話親機１０１とコードレス電話子機１０２、１０３で構成される。
【００２３】
図２はコードレス電話親機１０１の構成を示す機能ブロック図であり、コードレス電話親機１０１は公衆回線収容部２０１、鳴動音測定部２０２、鳴動判定部２０３、子機通信制御部２０４、子機管理部２０５、鳴動制御部２０８、音声処理部２０７、処理管理部２０６、及びアンテナ２０９、スピーカ２１０、マイク２１１を備える。
【００２４】
図３はコードレス電話子機１０２及び１０３の構成を示す機能ブロック図であり、コードレス電話子機１０２及び１０３は親機通信制御部３０２、鳴動制御部３０５、設定情報設定部３０１、処理管理部３０３、音声処理部３０４、鳴動音測定部３０６、鳴動判定部３０７、及びアンテナ３０８、スピーカ３０９、マイク３１０、ハンドセット３１１そして設定データ保存部３１２を備える。コードレス電話子機１０２及び１０３の機能ブロック構成は基本的に同一であるので、図３における各機能ブロックの符号についてもコードレス電話子機１０２と１０３とで特に区別はしていない。
【００２５】
以上の図１〜図３の構成を有するコードレス電話親機（以下「親機」と略す）１０１、コードレス電話子機（以下「子機」と略す）１０２及び１０３、及びそれらからなるシステムの動作を、図４〜図９を用いて説明する。
【００２６】
図４は、親機１０１が発する鳴動音を子機１０２及び１０３が測定するまでのシーケンス図であり、図５は図４における子機１０２、１０３のフローチャートである。
【００２７】
親機１０１は、公衆回線１０４からの着信４０１を検出した際に、管理下の子機１０２及び１０３に対して着信通知４０２を送信する。子機１０２及び１０３は、着信通知４０２を受信すると（ステップ５０１）、それぞれにおいて親機１０１のスピーカ２１０より発せられる鳴動音４０３の音量レベルを、マイク３１０より入力し、鳴動音測定部３０６を用いて測定する（ステップ５０２）。図４において親機１０１の鳴動音４０３の測定が終了すると、子機１０２及び１０３の鳴動判定部３０７はそれぞれ、鳴動音４０３の音量レベルを評価する（ステップ５０３）。
【００２８】
その音量レベルが予め設定されている閾値以下である場合は、子機１０２又は１０３の使用ユーザにとって親機１０１の鳴動音４０３が聞き取りにくい、と子機１０２又は１０３の鳴動判定部３０７は判断し、子機１０２又は１０３の鳴動制御部３０５（図３を起動することによってスピーカ３０９の鳴動を開始する（ステップ５０４）。そして一定の回数又は時間の鳴動を行った後、子機１０２又は１０３の鳴動制御部３０５はスピーカ３０９の鳴動を終了する（ステップ５０５）。
【００２９】
ステップ５０３において、もし親機１０１のスピーカ２１０より発せられる鳴動音４０３の音量レベルが予め設定された閾値を超える場合は、子機１０２マタは１０３の使用ユーザにとって親機１０１の鳴動音４０３が充分聞こえる（親機と子機が近い）、と子機１０２又は１０３の鳴動判定部３０７は判断し、子機１０２又は１０３の鳴動制御部３０５はスピーカ３０９の鳴動を行わず、そのまま処理フローを終了するステップ５０５。
【００３０】
以上のようにすれば、ユーザが親機の鳴動動作により着信に気付く範囲に設置してある子機の鳴動動作が抑制され、親機の鳴動動作の影響が及ばない範囲に設置してある子機のみ鳴動動作を行い、ユーザが煩わしいと感じる鳴動動作の重複を回避することができる。
【００３１】
なお、本実施の形態では音量測定動作を子機の鳴動の有無を決定するまで実行することになっているが、子機を制御した後も継続して音量測定動作を行うことによって、その音量変化に応じて子機の鳴動有無を状況に応じて変化させることもできる。
【００３２】
（実施の形態２）
実施の形態１では、子機が親機の鳴動音量を測定し、子機自身の鳴動有無を判断することにより、親機と子機との鳴動動作の重複を回避しているが、実施の形態２では、逆に親機が子機の鳴動音量を測定し、親機が子機に鳴動の有無を指示する。以下にその詳細を述べる。
【００３３】
実施の形態２のシステム全体の構成図、親機１０１の機能ブロック構成図、子機１０２及び１０３の機能ブロック構成図は、それぞれ実施の形態１の説明で用いた図１、図２、図３と同一である。
【００３４】
図６は、子機１０２及び１０３が発する鳴動音を親機１０１が測定し、子機１０２及び１０３に対して鳴動に関する制御指示を送信するまでのシーケンス図であり、図７は図６における親機１０１のフローチャートである。
【００３５】
図６において親機１０１が公衆回線１０４からの着信６０１を検出した際に親機１０１自身が鳴動を開始する（６０２）（ステップ７０８）と共に管理下の子機１０２、１０３に対して着信通知６０３を送信する（ステップ７０１）。子機１０２、１０３のそれぞれの親機通信制御部３０２は着信通知６０３を受信し、処理管理部３０３）は鳴動制御部３０５にスピーカ３０９から鳴動音を発するように指示し、子機１０２、１０３は鳴動する（６０４）。一方、着信通知６０３を送信した親機１０１は続いて内蔵マイク２１０から入力される子機１０２、１０３の鳴動音（６０４）の音量レベルの測定を開始する（６０５）ことを示している。この音量レベルの測定値によって親機１０１は子機１０２、１０３に対し、鳴動制御指示６０６を送信する。子機１０２、１０３のそれぞれの親機通信制御部３０２は鳴動制御指示６０６を受信し、その指示内容に従い、処理管理部３０３は鳴動制御部３０５にスピーカ３０９から鳴動音を制御する。なお、６０７では鳴動制御指示内容６０６が停止を意味する場合で子機の鳴動６０４を停止させたことを示している。
【００３６】
図７のフローチャートを用いて詳細に説明すると、子機１０２、１０３に着信通知を送信（６０３）した親機１０１はステップ７０３にて子機１０２、１０３が着信通知を受信した結果発するであろう鳴動音６０４の音検出を内蔵マイク２１１を用いて一定時間待ちうける。ここで一定時間の待ち時間に限定しているのは、子機１０２、１０３が発している鳴動音が届かない位遠方に位置している場合や子機１０２、１０２が故障などの理由で鳴動しなかった場合に備えてのことであり、この一定時間の管理のためにタイマをスタートさせる（ステップ７０２）。
【００３７】
子機１０２、１０３の鳴動音検出が行われなかった場合つまり、ステップ７０２でのタイマがタイムアウトした場合（ステップ７０４でＹｅｓ判定）、鳴動している子機の鳴動音が聞こえないほどの距離が離れている位置に親機が設置されており、親機の鳴動音も当該子機には聞こえていないと判断する。この場合、子機の鳴動を制御する必要はなく、そのまま処理フローを終了する（ステップ７０９）。ステップ７０２でのタイマがタイムアウトせず、子機１０２、１０３の鳴動音６０４を検出した場合（ステップ７０４でＮｏ判定）、その鳴動音量レベルを測定（ステップ７０５）し、その測定結果である鳴動音量レベルを評価（ステップ７０６）し、予め設定されている閾値に満たない場合（ステップ７０６にてＮｏ判定）は鳴動する子機の鳴動音６０４が親機１０１の位置では聞こえづらいことになる。ということは逆に親機１０１の鳴動音６０２もまた（鳴動している）子機に聞こえづらいことになり、親機と子機の間の距離が離れて設置されていると判断し、これも子機の鳴動を制御する必要はなく、特に何もせず、処理フローを終了する（ステップ７０９）。ステップ７０６において鳴動音量レベルが閾値以上の場合（ステップ７０６にてＹｅｓ判定）は親機１０１の鳴動音が鳴動中の子機に充分聞こえる、つまり親機と子機がある程度近い位置にお互いが設置されていると判断し、当該子機に対し、鳴動を停止する指示６０６を送信する（ステップ７０７）。
【００３８】
以上のようにすれば、ユーザが親機の鳴動動作により着信に気付く範囲に設置してある子機の鳴動動作が抑制され、親機の鳴動動作の影響が及ばない範囲に設置してある子機のみ鳴動動作を行い、ユーザが煩わしいと感じる鳴動動作の重複を回避することができる。
なお、逆に子機が親機の鳴動音量レベルを測定し、子機が親機に鳴動の制御指示を送信する、という構成も取りうる。
【００３９】
また、本実施の形態では音量測定動作を親機の鳴動の有無を決定するまで実行することになっているが、親機を制御した後も継続して音量測定動作を行うことによって、その音量変化に応じて親機の鳴動有無を状況に応じて変化させることもできる。
【００４０】
（実施の形態３）
実施の形態１及び実施の形態２では、親機１０１が子機１０２又は１０３の、又は子機１０２又は１０３が親機１０１の鳴動音の音量レベル測定を行い、親機１０１と子機１０２又は１０３間の位置関係を類推するものであるが、実施の形態３では、子機１０２、１０３同士で鳴動音の音量レベル測定を行い、それぞれお互いの位置関係を類推することにより鳴動の有無を決定する。以下にその詳細を述べる。
【００４１】
実施の形態３のシステム全体の構成図、親機１０１の機能ブロック構成図、子機１０２及び１０３の機能ブロック構成図は、それぞれ実施の形態１の説明で用いた図１、図２、図３と同一である。
【００４２】
図８は親機１０１から着信通知８０１、８０２をそれぞれ受信した子機間で互いに鳴動音量測定を行い、それぞれの鳴動有無を決定するまでのシーケンス図であり、図９は図８における子機１０２、１０３のフローチャートである。
【００４３】
親機１０１は、公衆回線１０４からの着信８０９を検出した際に、管理下の子機１０２、１０３に対して着信通知８０１、８０２を送信する。子機１０２、１０３のそれぞれの親機通信制御部３０２は着信通知８０１、８０２を受信し、それぞれの処理管理部３０３はそれぞれの鳴動制御部３０５にそれぞれのスピーカ３０９から鳴動音を発するように指示し、子機１０２、１０３は鳴動する（８０３、８０４）。また、子機１０２、１０３は同時に内蔵マイク３１０から入力される他方の子機（１０２、又は１０３）の鳴動音８０３、８０４の音量レベルの測定をそれぞれ開始する（８０５、８０６）ことを示している。この音量レベルの測定値によって子機１０２、１０３はお互い位置関係を類推し、近くに位置しているとした場合は鳴動不要と判断する。この際、両方の子機が鳴動不要の判断をした場合にどちらも鳴動をやめる恐れがあるため、親機１０１が調整を行う。具体的には、子機１０３の鳴動音８０４が一定の音量レベル以上であったため、自己の鳴動不要と判断した子機１０２は、鳴動を停止するにあたって、親機１０１に対して鳴動変更通知８０５を送信する。親機１０１は鳴動変更通知８０５に先立つ鳴動変更通知を受信していないため、許可応答（以下、ＡＣＫとする）を応答する（８０７）。また、ほぼ時期を同じくして子機１０２の鳴動音８０３が一定の音量レベル以上であったため、自己の鳴動不要と判断した子機１０３は、鳴動を停止するにあたって、やはり親機１０１に対して鳴動変更通知８０６を送信する。親機１０１は鳴動変更通知８０６に先立つ鳴動変更通知８０５を受信しているため、不許可応答（以下、ＮＡＫとする）を応答する（８０８）。以上の結果から、ＡＣＫを受信した子機１０１は、鳴動制御部３０５がスピーカ３０９からの鳴動音を停止するが、ＮＡＫを受信した子機１０２は、鳴動停止処理を行わず、鳴動を継続する。
【００４４】
この場合の子機１０２及び１０３の動作を図９のフローチャートを用いて詳細に説明する。子機１０２及び１０３は、親機１０１から着信通知８０１又は８０２を受信し（ステップ９０１）、鳴動制御３０５がスピーカ３０９を利用し鳴動を開始する（ステップ９０２）。
【００４５】
その後、子機１０２及び１０３はステップ９０４にて他方の子機が着信通知を受信した結果発するであろう鳴動音８０３、８０４の音検出を内蔵マイク３１０を用いて一定時間待ちうける。ここで一定時間の待ち時間に限定しているのは、他方の子機が発している鳴動音が届かない位遠方に位置している場合や他方の子機が故障などの理由で鳴動しなかった場合に備えてのことであり、この一定時間の管理のためにタイマをスタートさせる（ステップ９０３）。
【００４６】
他方の子機の鳴動音検出が行われなかった場合つまり、ステップ９０３でのタイマがタイムアウトした場合（ステップ９０５でＹｅｓ判定）、鳴動している他方の子機の鳴動音が聞こえないほどの距離が離れている位置に自子機が設置されており、他自子機の鳴動音も当該する他方の子機には聞こえていないと判断する。この場合、自子機の鳴動を制御する必要はなく、そのまま処理フローを終了する（ステップ９１１）。ステップ９０３でのタイマがタイムアウトせず、他方の子機の鳴動音８０３、８０４を検出した場合（ステップ９０５でＮｏ判定）、その鳴動音量レベルを測定（ステップ９０６）し、その測定結果である鳴動音量レベルを評価（ステップ９０７）し、予め設定されている閾値に満たない場合（ステップ９０７にてＮｏ判定）は鳴動する他方の子機の鳴動音８０３又は８０４が自子機１０２、１０３の位置では聞こえづらいことになる。ということは逆に自子機１０２、１０３の鳴動音８０３、８０４もまた他方の子機に聞こえづらいことになり、子機間の距離が離れて設置されていると判断し、これも子機の鳴動を制御する必要はなく、特に何もせず、処理フローを終了する（ステップ９１１）。ステップ９０７において鳴動音量レベルが閾値以上の場合（ステップ９０７にてＹｅｓ判定）は自子機１０２、１０３の鳴動音８０３，８０４が鳴動中の他方の子機に充分聞こえる、つまり子機同士がある程度近い位置にお互いが設置されており、自子機の鳴動を停止するべきであると判断する。ここで鳴動停止を判断した子機１０２、１０３は親機１０１に対して鳴動変更通知を送信し、応答を待ちうける（ステップ９０８）。子機１０２、１０３は親機からの応答内容を判定し、ＡＣＫの場合（ステップ９０９でＡＣＫ判定）の場合は自らの鳴動を停止し（ステップ９１０）、ＮＡＫの場合（ステップ９０９でＮＡＫ判定）、他方の子機が鳴動を停止する予定であることを示し、自子機の鳴動を制御する必要はないため、そのまま処理フローを終了する（ステップ９１１）。
【００４７】
以上のようにすれば、ユーザが子機の鳴動動作により着信に気付く範囲に設置してある別子機の鳴動動作が抑制され、子機の鳴動動作の影響が及ばない範囲に設置してある別子機のみ鳴動動作を行い、ユーザが煩わしいと感じる鳴動動作の重複を回避することができる。
【産業上の利用可能性】
【００４８】
本発明は、一般家庭等で使用される、親機と少なくとも一つの子機からなり、親機が着信した際に親機と子機とで同時に鳴動可能なコードレス電話システムに適用できる。
【図面の簡単な説明】
【００４９】
【図１】コードレス電話システムの全体構成図
【図２】コードレス電話親機の構成を示す機能ブロック図
【図３】コードレス電話子機の構成を示す機能ブロック図
【図４】実施の形態１における親機と子機のシーケンス図
【図５】実施の形態１における子機のフローチャート
【図６】実施の形態２における親機と子機のシーケンス図
【図７】実施の形態２における親機のフローチャート
【図８】実施の形態３における親機と子機のシーケンス図
【図９】実施の形態３における子機のフローチャート
【符号の説明】
【００５０】
１０１    コードレス電話親機
１０２、１０３    コードレス電話子機
１０４    公衆回線
２０１    公衆回線収容部
２０２    鳴動音測定部
２０３    鳴動判定部
２０４    子機通信制御部
２０５    子機管理部
２０６    処理管理部
２０７    音声処理部
２０８    鳴動制御部
２０９    アンテナ
２１０    スピーカ
２１１    マイク
３０１    設定部
３０２    親機通信制御部
３０３    処理管理部
３０４    音声処理部
３０５    鳴動制御部
３０６    鳴動音測定部
３０７    鳴動判定部
３０８    アンテナ
３０９    スピーカ
３１０    マイク
３１１    ハンドセット
３１２    設定データ
【図１】
2010074590.tif 000003
【図２】
2010074590.tif 000004
【図３】
2010074590.tif 000005
【図４】
2010074590.tif 000006
【図５】
2010074590.tif 000007
【図６】
2010074590.tif 000008
【図７】
2010074590.tif 000009
【図８】
2010074590.tif 000010
【図９】
2010074590.tif 000011